(57)【要約】  湿式のシェービング用剃刀の傾斜型アセンブリである。剃刀は、カートリッジとハンドルから構成されている。ハンドルは、ニュートラル位置と完全回転位置とを移動するように、カートリッジをハンドルに枢動可能に取り付けるために、ハンドルから外側に延在している第１及び第２の接続アームを備えている。傾斜型アセンブリは取付け面を含み、取付け面はカートリッジに形成され、その底面に位置する。傾斜型部材は、ハンドルから外側に延在し、また、カートリッジをハンドルに取り付けた時、カートリッジがニュートラル位置と完全回転位置との間を移動するように、取付け面がスライドしながら係合する先端部を有する。傾斜型部材は、取付け面に対して可変の回転力を働かせる。【選択図】          図１
2007535379.tif 000002
【特許請求の範囲】
【請求項１】
カートリッジと、外側に延在する第１及び第２の接続アームを含み、ニュートラル位置と完全回転位置との間を移動するようにカートリッジに枢動可能に取り付けられるハンドルと、を備える剃刀と、
カートリッジに形成され、その底面に位置する取付け面と、
前記ハンドルから外側に延在し、前記カートリッジをハンドルに取り付ける際に、前記カートリッジが前記ニュートラル位置と前記完全回転位置との間を移動するように、前記取付け面とスライドしながら係合する一端を有し、前記取付け面に対して可変の回転力を作用させる傾斜型部材と、を備える湿式のシェービング剃刀用の傾斜型アセンブリ。
【請求項２】
前記取付け面が略円筒型である、請求項１に記載の傾斜型アセンブリ。
【請求項３】
前記カートリッジが、前記取付け面の各先端を支える前記カートリッジの後面に位置するガイド部を含む、請求項２に記載の傾斜型アセンブリ。
【請求項４】
前記取付け面が対抗する傾斜面によって形成される、請求項１に記載の傾斜型アセンブリ。
【請求項５】
前記カートリッジが前記ニュートラル位置から前記完全回転位置へ枢動する時、前記傾斜型部材が徐々に増加する回転力を前記取付け面に対して働かせる、請求項１に記載の傾斜型アセンブリ。
【請求項６】
前記取付け面が、前記カートリッジの略中央に配置される、請求項１に記載の傾斜型アセンブリ。
【請求項７】
前記取付け面の中央にある長手方向に延在する軸は、前記カートリッジが、前記カートリッジの旋回軸に対してオフセットされる、請求項５に記載の傾斜型アセンブリ。
【請求項８】
前記傾斜型部材がニュートラル位置のときに、前記傾斜型部材の先端部が前記カートリッジの旋回軸に略平行に配置される、請求項１に記載の傾斜型アセンブリ。
【請求項９】
前記傾斜型部材が切欠部を形成している、請求項１に記載の傾斜型アセンブリ。
【請求項１０】
前記カートリッジが側部に凹部を形成し、
第１及び第２の接続アームが、それぞれ関連する一方の凹部で枢動可能に支持する突起を有する、請求項１に記載の傾斜型アセンブリ。
【請求項１１】
前記突起がそれぞれ、関連する接続アームから外側に延在するピンを含む、請求項１０に記載の傾斜型アセンブリ。
【請求項１２】
前記ニュートラル位置に対して、前記カートリッジが約５度から約１５度に旋回する時、前記回転力が約２．１０９から約３．５８２グラム重量センチメートルの範囲で変動する、請求項１記載の傾斜型アセンブリ。
【請求項１３】
前記ニュートラル位置に対して、前記カートリッジが約５度から約３０度に旋回する時、前記回転力が約２．１１から約５．４２グラム重量センチメートルの範囲で変動する、請求項１に記載の傾斜型アセンブリ。
【請求項１４】
前記ニュートラル位置に対して、前記カートリッジが約５度から約４５度に旋回する時、前記回転力が約２．１１から約７．３２グラム重量センチメートルの範囲で変動する、請求項１に記載の傾斜型アセンブリ。
【請求項１５】
前記ニュートラル位置に対して、前記カートリッジが約５度から約６０度に旋回する時、前記回転力が約２．１１から約１１．０６グラム重量センチメートルの範囲で変動する、請求項１に記載の傾斜型アセンブリ。
【請求項１６】
前記ニュートラル位置に対して、前記カートリッジが約５度から約７０度に旋回する時、前記回転力が約２．１１から約１１．４２グラム重量センチメートルの範囲で変動する、請求項１に記載の傾斜型アセンブリ。
【請求項１７】
前記傾斜型部材が硬質である、請求項１記載の傾斜型アセンブリ。
【発明の詳細な説明】
【技術分野】
【０００１】
本発明は湿式のシェービング用剃刀に関し、特に、回転式剃刀カートリッジを静止位置あるいはニュートラル位置へ押し戻す傾斜型アセンブリに関する。
【背景技術】
【０００２】
湿式のシェービング用剃刀には、カートリッジが取り外せないように、または着脱可能に取り付けられているハンドルに対して枢動可能に回転するレーザカートリッジが用いられていることが多い。一般的に、傾斜型部材またはスプリングは、ハンドルに対して、カートリッジを最初の位置もしくはニュートラルの位置に押し戻すように、カートリッジに力を働かせる。従来、こういったスプリングは、シェービング動作中に限られた範囲の回転力を行使して、かなり大きな復元力を出す傾向があった。これは、換言すると、カートリッジに内蔵された刃がユーザーの肌へ入り込んでいるということである。カートリッジが絶え間なく変化する肌の輪郭上を滑る時、刃によって作用される大きな力によって、切り傷や擦り傷などが増えるため、シェービング時の不快感も増加する。さらに、カートリッジが、２つの略反対方向のいずれかで、ユーザーの肌上を移動し剃毛が可能となるように構成されている場合、方向を逆戻りすることで生じる大きなスプリング力によって、シェービング動作中に使用者の肌を傷つけるなどの恐れはさらに増すことになる。
【発明の開示】
【発明が解決しようとする課題】
【０００３】
起伏のある表面を剃っている時に、硬めのスプリングを使用していると、スプリング力が弱いため、肌がカートリッジから離れてしまうことがしばしば起こる。
【０００４】
従って、本発明の目的は、剃刀用の傾斜型アセンブリ及び傾斜型部材を使用した剃刀を提供し、上記の問題点を解決または改善することである。
【課題を解決するための手段】
【０００５】
本発明は、湿式のシェービング剃刀用の傾斜型アセンブリに関する。剃刀は、カートリッジとハンドルから構成されている。ハンドルは、ニュートラル位置と完全回転位置とを移動するように、カートリッジをハンドルに枢動可能に取り付けるために、ハンドルから外側に延在している第１及び第２の接続アームを備えている。傾斜型アセンブリは取付け面を含み、取付け面はカートリッジに形成され、その底面に位置する。傾斜型部材は、ハンドルから外側に延在し、また、カートリッジをハンドルに取り付けた時、カートリッジがニュートラル位置と完全回転位置との間を移動するように、取付け面がスライドしながら係合する先端部を有する。傾斜型部材は、取付け面に対して可変の回転力を働かせる。傾斜型部材は、好ましくは、柔軟性と強度との適切なバランスを与える切欠部を備える。取付け面は、例えば、円筒型や頂点など、様々な実用的な形状をとることが可能である。好適な実施例としては、カートリッジがニュートラル位置に対して約５度から約７０度まで回転する時、その回転力は約２．１から約１１．５グラム重量センチメートルの範囲を変動する。
【発明の効果】
【０００６】
本発明の効果は、複雑な輪郭のある表面を剃る際に、ハンドルを何度も再配置する必要をなくすことである。
【発明を実施するための最良の形態】
【０００７】
図１及び図２を参照し、本発明の実施態様である傾斜型部材を含む湿式のシェービング用剃刀を、参照番号１０として示す。剃刀１０は、ハンドル１２とカートリッジ１４とを含む。カートリッジ１４は、ハンドル１２のヘッド部１６に枢動可能に取り付けられ、図１に示すニュートラル位置と図２に示す完全回転位置との間を移動する。
【０００８】
図３及び図４を参照し、第１及び第２の接続アーム２８、３０は、ヘッド部１６から外側に延在する。第１及び第２の接続アーム２８、３０の各先端部３４は、接続アームの先端部に延在する旋回軸を中心に移動するカートリッジ１４の嵌合凹部と枢動可能に係合するために、各先端部３４から延在する突起またはピン３６を含む。
【０００９】
突起３６を、カートリッジ側に形成された係合嵌合凹部として図示し説明するが、本発明はこれに限定されず、本発明の関連する技術の当業者には既知の他の形式の接続部、例えば、限定はしないが、シェルベアリング、押し下げ式接続部を用いることもできる。
【００１０】
弾力性のある傾斜型部材３８は、第１及び第２の接続アーム２８、３０の間に設置され、ヘッド部１６から外側に延びている。図示の実施例では、傾斜型部材３８には切欠部３９が形成され、柔軟性と強度のバランスを維持している。しかしながら、本発明はこの点に限定されず、傾斜型部材３８が切欠部３９を持たない硬質なものであってもよい。柔軟性及び強度は、とりわけ、傾斜型部材の厚みを調節することによって制御可能である。
【００１１】
図５及び図６を参照し、カートリッジ１４には、カートリッジの側部に接続アーム２８、３０のピン３６を枢動可能に支持する開口部または凹部４８が形成される。カートリッジ１４は、さらにカートリッジの背面５４に配置される第１及び第２ガイド部５０、５２を含む。取付け面５６は、ガイド部５０と５２との間に延在している。取付け面５６及び背面５４はともに、傾斜型部材３８の先端部４６をスライドしながら係合した状態で支持するためのスロット５８を形成する。取付け面５６は円筒型が好ましいが、長方形、正方形、準円筒型など、本発明の範囲要旨を逸脱しない範囲で、その他の実用的な形状としてもよい。さらに取付け面はカートリッジの旋回軸に対してオフセットされる。
【００１２】
図６を参照し、カートリッジ１４は、カートリッジの一端に配置された第１の一対刃と、反対の他端に位置する第２の一対刃とを含み、双方向のシェービングを可能にする。この二対の刃６２及び６４は、ワイヤー６６に巻かれ、シェービング動作中に連続して存在する刃の間に使用者の肌が必要以上に押されるのを防いでいる。カートリッジ１４は双方向性であることを図示し説明した。これは換言すれば、二つの反対方向のうちのどちらか一方において使用者の肌の上を滑らせる時に毛髪を剃ることが可能であるということであるが、本発明はこの点に限定されない。例えば、カートリッジは一方向のものでも可能であり、本発明の範囲から逸脱しない限り、図示されたものとは異なる刃数であっても良い。
【００１３】
ここで、剃刀１０の動作を説明する。図１及び図７において、剃刀１０を、ニュートラル位置のカートリッジ１４と共に図示する。第１及び第２の接続アーム２８、３０は、カートリッジ１４の側部に形成される開口部４８に枢動可能に係合している。図７に示すように、傾斜型部材３８の先端部４６は、カートリッジ１４の取付け面５６と背面５４との間にあるスロット５８の範囲内で支持される。ニュートラル位置の場合、通常、傾斜型部材３８は柔軟性や傾斜は無く、傾斜型部材の先端部４６は旋回軸に略平行に配置されている。
【００１４】
シェービング動作中、カートリッジ１４が使用者の肌の上を移動すると、カートリッジは、図１及び図７で示されるニュートラル位置と図２及び図８で示される完全回転位置との間を枢動する。これは、取付け面５６が旋回軸から遠ざかり、傾斜型部材３８に柔軟性を与えるように作用し、その結果取付け面に対して可変の回転力が働く、という順に動作することを意味する。この可変の回転力は、一般的にはカートリッジ１４をニュートラル位置へ押し戻すように作用する。回転力の度合いは、カートリッジ１４の刃が使用者の肌に過度な力を与えることはないが、カートリッジが肌の輪郭に沿うように構成されている。これによって、肌を傷つける恐れが減少する。
【００１５】
カートリッジ１４は、取付け面５６と傾斜型部材３８の先端部４６をスライドしながら係合した状態で支持するためのスロット５８とを含むことを図示し説明したが、傾斜型部材を係合するためのカートリッジはこれに限定されない。図９を参照すると、例えば、カートリッジ１１４は、移動止め部材１１７を含む底面１１５を有する。移動止め部材１１７は、２つの対抗する傾斜面１１９によって形成され、１１９はスライドしながら係合した状態で傾斜型部材を支持するための先端部を、ともに形成している。移動止め部材１１７の先端部は、カートリッジ１１４の中央にある長手方向の軸に沿って延在するレール１２３の上方に配置される。シェービング動作中、カートリッジ１１４はハンドルに対して枢動するため、移動止め部材１１７の傾斜面１１９は、傾斜型部分に柔軟性を与えるように作用する取付け面としての機能を果たし、取付け面に対し可変の回転力を働かせる。図５で図示したカートリッジ１４について上述したように、この可変の回転力は、通常、カートリッジ１１４がニュートラル位置に戻るように作用する。
【００１６】
さらに、本発明に関するカートリッジは、本発明の範囲を逸脱しない範囲で、他の実用的な枢動機構で構成することができる。図９に示すように、例えば、カートリッジ１１４は、シェルベアリング１２１を含み、１２１は、関連技術の当業者に既知の方法で剃刀ハンドルに枢動可能に係合する。
【００１７】
上述の剃刀を使用して、カートリッジに傾斜型部材により作動される平均回転力を測定するテストを実行した。グラム重量センチメートルの平均回転力は、ニュートラル位置（図１参照）からカートリッジを５度単位で完全回転位置（図２参照）まで増加させる複数回のテストから判定した。
結果は、以下の通りである。
最初の位置に対する軸の角度 平均回転力
５°       ２．１０９
１０°       ３．３４３
１５°       ３．５８２
２０°       ４．６９６
２５°       ５．２５４
３０°       ５．４５３
３５°       ６．６４７
４０°       ７．２４４
４５°       ７．３２３
５０°       ８．２７８
５５°       ９．２７３
６０°       １１．０６４
６５°       １１．０６４
７０°       １１．４２３
【００１８】
以上のテスト結果を見てもわかるように、カートリッジはニュートラル位置から完全回転位置まで旋回したとき、一般的に、肌に対して刃が作用する力を最小限に留めるような回転力の度合いで回転力は徐々に増加するため、輪郭面を剃っている際にカートリッジの先端などにより、肌を傷つける可能性を減少させる。
【００１９】
上記これらの関連技術における当業者によって認識されるように、本発明の上記実施例について本発明の範囲を逸脱することなく、さまざまな変形や置換が可能である。したがって、前述の本明細書では、限定的な意味にならないように具体例を示している。
【図面の簡単な説明】
【００２０】
【図１】本発明に係る、ニュートラル位置でカートリッジに係合する傾斜型部材を含む剃刀の側面図である。
【図２】完全回転位置でカートリッジに係合する傾斜型部材を示す図１の剃刀の側面図である。
【図３】傾斜型部材の前面図である。
【図４】傾斜型部材の背面図である。
【図５】カートリッジの前面図である。
【図６】カートリッジの背面図である。
【図７】ニュートラル位置でカートリッジに係合する傾斜型部材を示す図１の剃刀の前面図である。
【図８】完全回転位置でカートリッジに係合する傾斜型部材を示す図１の剃刀の前面図である。
【図９】本発明の別の実施例に係るカートリッジの背面図である。
【図１】
2007535379.tif 000003
【図２】
2007535379.tif 000004
【図３】
2007535379.tif 000005
【図４】
2007535379.tif 000006
【図５】
2007535379.tif 000007
【図６】
2007535379.tif 000008
【図７】
2007535379.tif 000009
【図８】
2007535379.tif 000010
【図９】
2007535379.tif 000011
【手続補正書】
【提出日】平成19年5月7日(2007.5.7)
【手続補正１】
【補正対象書類名】特許請求の範囲
【補正対象項目名】請求項７
【補正方法】変更
【補正の内容】
【請求項７】
前記取付け面の中央にある長手方向に延在する軸は、前記カートリッジの旋回軸に対してオフセットされる、請求項５に記載の傾斜型アセンブリ。
【国際調査報告】
2007535379.tif 000012
2007535379.tif 000013